(57)【特許請求の範囲】
【請求項１】
サーバーがユーザアカウントから送信されたデバイスとの接続を解除するための解除要求を受信することと、
前記ユーザアカウントが前記デバイスの所有者のアカウントである時に、前記サーバーが前記デバイスに対応している少なくとも１つの、シェア方式で前記デバイスに対する制御権限を取得するシェアを受ける者のアカウントを照会することと、
前記サーバーが前記デバイスと前記所有者のアカウントとの間のバインディング接続、及び前記デバイスと前記シェアを受ける者のアカウントとの間の権限関係接続を解除することと、
を含むことを特徴とする接続解除方法。
【請求項２】
前記ユーザアカウントが前記デバイスのシェアを受ける者のアカウントである時に、前記サーバーが前記デバイスと前記ユーザアカウントとの間の権限関係接続を解除することをさらに含むことを特徴とする請求項１に記載の方法。
【請求項３】
前記サーバーが前記所有者のアカウントから第１のシェアを受ける者のアカウントに送信された第１のシェア要求を受信することと、
前記サーバーが前記第１のシェアを受ける者のアカウントに前記第１のシェア要求を転送することと、
前記第１のシェアを受ける者のアカウントが前記第１のシェア要求を同意する同意信号を受信した時に、前記サーバーが前記第１のシェアを受ける者のアカウントと前記デバイスとの間の権限関係接続を確立することと、
をさらに含むことを特徴とする請求項１又は請求項２に記載の方法。
【請求項４】
前記サーバーが前記第１のシェアを受ける者のアカウントから第２のシェアを受ける者のアカウントに送信された第２のシェア要求を受信することと、
前記サーバーが前記第２のシェアを受ける者のアカウントに前記第２のシェア要求を転送することと、
前記第２のシェアを受ける者のアカウントが前記第２のシェア要求を同意する同意信号を受信した時に、前記サーバーが前記第２のシェアを受ける者のアカウントと前記デバイスとの間の権限関係接続を確立することと、
をさらに含むことを特徴とする請求項３に記載の方法。
【請求項５】
前記サーバーが前記第２のシェアを受ける者のアカウントが前記第１のシェアを受ける者のアカウントによるシェアで前記デバイスとの間に権限関係接続を確立したことを示すための通知情報を前記所有者のアカウントに送信することをさらに含むことを特徴とする請求項４に記載の方法。
【請求項６】
ユーザアカウントから送信されたデバイスとの接続を解除するための解除要求を受信するように配置されている要求受信モジュールと、
前記ユーザアカウントが前記デバイスの所有者のアカウントである時に、前記デバイスに対応している少なくとも１つの、シェア方式で前記デバイスに対する制御権限を取得するシェアを受ける者のアカウントを照会するように配置されている照会モジュールと、
前記デバイスと前記所有者のアカウントとの間のバインディング接続、及び前記デバイスと前記シェアを受ける者のアカウントとの間の権限関係接続を解除するように配置されている第１の解除モジュールと、
を含むことを特徴とする接続解除装置。
【請求項７】
前記ユーザアカウントが前記デバイスのシェアを受ける者のアカウントである時に、前記デバイスと前記ユーザアカウントとの間の権限関係接続を解除するように配置されている第２の解除モジュールをさらに含むことを特徴とする請求項６に記載の装置。
【請求項８】
前記所有者のアカウントから第１のシェアを受ける者のアカウントに送信された第１のシェア要求を受信するように配置されている第１の受信モジュールと、
前記第１のシェアを受ける者のアカウントに前記第１のシェア要求を転送するように配置されている第１の転送モジュールと、
前記第１のシェアを受ける者のアカウントが前記第１のシェア要求を同意する同意信号を受信した時に、前記第１のシェアを受ける者のアカウントと前記デバイスとの間の権限関係接続を確立するように配置されている第１の接続モジュールと、
をさらに含むことを特徴とする請求項６又は請求項７に記載の装置。
【請求項９】
前記第１のシェアを受ける者のアカウントから第２のシェアを受ける者のアカウントに送信された第２のシェア要求を受信するように配置されている第２の受信モジュールと、
前記第２のシェアを受ける者のアカウントに前記第２のシェア要求を転送するように配置されている第２の転送モジュールと、
前記第２のシェアを受ける者のアカウントが前記第２のシェア要求を同意する同意信号を受信した時に、前記第２のシェアを受ける者のアカウントと前記デバイスとの間の権限関係接続を確立するように配置されている第２の接続モジュールと、
をさらに含むことを特徴とする請求項８に記載の装置。
【請求項１０】
前記第２のシェアを受ける者のアカウントが前記第１のシェアを受ける者のアカウントによるシェアで前記デバイスとの間に権限関係接続を確立したことを示す通知情報を前記所有者のアカウントに送信するように配置されている通知モジュールをさらに含むことを特徴とする請求項９に記載の装置。
【請求項１１】
プロセッサと、
前記プロセッサにより実行可能な命令を記憶するためのメモリと、
を含み、
前記プロセッサは、
ユーザアカウントから送信されたデバイスとの接続を解除するための解除要求を受信し、
前記ユーザアカウントが前記デバイスの所有者のアカウントである時に、前記デバイスに対応している少なくとも１つの、シェア方式で前記デバイスに対する制御権限を取得するシェアを受ける者のアカウントを照会し、
前記デバイスと前記所有者のアカウントとの間のバインディング接続、及び前記デバイスと前記シェアを受ける者のアカウントとの間の権限関係接続を解除するように配置されていることを特徴とする接続解除装置。
【請求項１２】
プロセッサに実行されることにより、請求項１〜５のいずれかに記載の接続解除方法を実現することを特徴とするプログラム。
【請求項１３】
請求項１２に記載のプログラムが記録された記録媒体。
【発明の詳細な説明】
【技術分野】
【０００１】
本発明は、インテリジェントホーム分野に関するものであり、特に、接続解除方法、装置、プログラム及び記録媒体に関するものである。
【背景技術】
【０００２】
インテリジェントホームにおいて、デバイスの所有者がデバイスとバインディング関係を確立するとともに、該デバイスに対する各種の制御権限を持つことができる。
【０００３】
デバイスの所有者がシェアの方式で家庭における他のメンバーに該デバイスに対する制御権限の一部をシェアすることにより、他のメンバーのユーザアカウントと該デバイスとの間に権限関係接続を確立することもできる。例えば、ユーザがスマートテレビのオン・オフ権限を母親にシェアすることにより、母親もスマートテレビをオン・オフする制御権限を持つようになる。同時に、デバイスの所有者があるユーザアカウントとデバイスとの間の権限関係接続を解除することにより、家庭における該メンバーが該デバイスに対する制御権限を失うようになることもできる。
【０００４】
本発明を実現する過程において、発明者が従来の技術において少なくとも下記の問題が存在することを発見した。
【０００５】
即ち、シェアされた後の制御権限は、デバイスの所有者で手動にて一つずつ解除する必要があり、デバイスの所有者が該シェアを忘れて、且つ該デバイスとのバインディングを解除した後、シェアを受けたユーザが該デバイスに対する制御権限を依然に持っており、セキュリティ性が悪い。
【発明の概要】
【０００６】
デバイスの所有者があるシェアを忘れて、且つデバイスとのバインディングを解除した後、シェアを受ける者が該デバイスに対する制御権限を依然に持っている問題を解決するために、本発明が接続解除方法、装置、プログラム及び記録媒体を提供する。技術方案は、下記のようである。
【０００７】
本発明の実施例の第１の局面によると、１種の接続解除方法が提供され、該方法は、
ユーザアカウントから送信されたデバイスとの接続を解除するための解除要求を受信することと、
ユーザアカウントが該デバイスの所有者のアカウントである時に、該デバイスに対応している少なくとも１つの、シェア方式で該デバイスに対する制御権限を取得するシェアを受ける者のアカウントを照会することと、
該デバイスと所有者のアカウントとの間のバインディング接続、及び該デバイスとシェアを受ける者のアカウントとの間の権限関係接続を解除することと、を含む。
【０００８】
好ましいのは、該方法は、
ユーザアカウントが該デバイスのシェアを受ける者のアカウントである時に、該デバイスと該ユーザアカウントとの間の権限関係接続を解除することをさらに含む。
【０００９】
好ましいのは、該方法は、
所有者のアカウントから第１のシェアを受ける者のアカウントに送信された第１のシェア要求を受信することと、
第１のシェアを受ける者のアカウントに該第１のシェア要求を転送することと、
第１のシェアを受ける者のアカウントが該第１のシェア要求を同意する同意信号を受信した時に、第１のシェアを受ける者のアカウントと該デバイスとの間の権限関係接続を確立することと、をさらに含む。
【００１０】
好ましいのは、該方法は、
第１のシェアを受ける者のアカウントから第２のシェアを受ける者のアカウントに送信された第２のシェア要求を受信することと、
第２のシェアを受ける者のアカウントに第２のシェア要求を転送することと、
第２のシェアを受ける者のアカウントが該第２のシェア要求を同意する同意信号を受信した時に、第２のシェアを受ける者のアカウントと該デバイスとの間の権限関係接続を確立することと、をさらに含む。
【００１１】
好ましいのは、該方法は、
第２のシェアを受ける者のアカウントが第１のシェアを受ける者のアカウントによるシェアで該デバイスとの間に権限関係接続を確立したことを示すための通知情報を所有者のアカウントに送信することをさらに含む。
【００１２】
本発明の実施例の第２の局面によると、１種の接続解除装置が提供され、該装置は、
ユーザアカウントから送信されたデバイスとの接続を解除するための解除要求を受信するように配置されている要求受信モジュールと、
ユーザアカウントが該デバイスの所有者のアカウントである時に、該デバイスに対応している少なくとも１つの、シェア方式で該デバイスに対する制御権限を取得するシェアを受ける者のアカウントを照会するように配置されている照会モジュールと、
該デバイスと所有者のアカウントとの間のバインディング接続、及び該デバイスとシェアを受ける者のアカウントとの間の権限関係接続を解除するように配置されている第１の解除モジュールと、を含む。
【００１３】
好ましいのは、該装置は、
ユーザアカウントが該デバイスのシェアを受ける者のアカウントである時に、該デバイスと該ユーザアカウントとの間の権限関係接続を解除するように配置されている第２の解除モジュールをさらに含む。
【００１４】
好ましいのは、該装置は、
所有者のアカウントから第１のシェアを受ける者のアカウントに送信された第１のシェア要求を受信するように配置されている第１の受信モジュールと、
第１のシェアを受ける者のアカウントに該第１のシェア要求を転送するように配置されている第１の転送モジュールと、
第１のシェアを受ける者のアカウントが該第１のシェア要求を同意する同意信号を受信した時に、第１のシェアを受ける者のアカウントと該デバイスとの間の権限関係接続を確立するように配置されている第１の接続モジュールと、をさらに含む。
【００１５】
好ましいのは、該装置は、
第１のシェアを受ける者のアカウントから第２のシェアを受ける者のアカウントに送信された第２のシェア要求を受信するように配置されている第２の受信モジュールと、
第２のシェアを受ける者のアカウントに該第２のシェア要求を転送するように配置されている第２の転送モジュールと、
第２のシェアを受ける者のアカウントが該第２のシェア要求を同意する同意信号を受信した時に、第２のシェアを受ける者のアカウントと該デバイスとの間の権限関係接続を確立するように配置されている第２の接続モジュールと、をさらに含む。
【００１６】
好ましいのは、該装置は、
第２のシェアを受ける者のアカウントが第１のシェアを受ける者のアカウントによるシェアで該デバイスとの間に権限関係接続を確立したことを示すための通知情報を所有者のアカウントに送信するように配置されている通知モジュールをさらに含む。
【００１７】
本発明の実施例の第３局面によると、１種の接続解除装置が提供され、該装置は、
プロセッサと、
該プロセッサにより実行可能な命令を記憶するためのメモリと、を含み、
該プロセッサは、
ユーザアカウントから送信されたデバイスとの接続を解除するための解除要求を受信し、
ユーザアカウントが該デバイスの所有者のアカウントである時に、該デバイスに対応している少なくとも１つの、シェア方式で該デバイスに対する制御権限を取得するシェアを受ける者のアカウントを照会し、
該デバイスと所有者のアカウントとの間のバインディング接続、及び該デバイスとシェアを受ける者のアカウントとの間の権限関係接続を解除するように配置されている。
【００１８】
本発明の実施例の第４局面によると、プロセッサに実行されることにより、前記の接続解除方法を実現することを特徴とするプログラムが提供される。
【００１９】
本発明の実施例の第５局面によると、前記のプログラムが記録された記録媒体が提供される。
【００２０】
本発明の実施例に提供された技術方案は、下記の有益な効果を含むことができる。
【００２１】
デバイスの所有者のアカウントから送信された解除要求を受信して、該デバイスに対応している少なくとも１つのシェアを受ける者アカウントを照会するとともに、該デバイスとデバイスの所有者のアカウント及びシェアを受ける者のアカウントとの間の接続を解除することによって、係る技術においてデバイスの所有者があるシェアを忘れて、且つデバイスとのバインディングを解除した後、シェアを受ける者が該デバイスに対する制御権限を依然に持っている問題を解決して、デバイスの所有者のアカウントとデバイスとの間のバインディングが解除された後、該デバイスのシェアを受ける者のアカウントと該デバイスとの間の権限関係接続も同時に解除されることにより、デバイスのセキュリティ性を向上した効果を達成した。
【００２２】
以上の一般的な記述と、以下の詳細の記述は、ただ例示的なものであって、本発明を限定するものではないことを理解すべきである。
【図面の簡単な説明】
【００２３】
ここの図面は、明細書に組み入れて本明細書の一部分を構成し、本発明に該当する実施例を例示するとともに、明細書とともに本発明の原理を解釈するために用いられる。
【００２４】
【図１】本発明の各実施例に係る１種の実施環境の概略図である。
【図２】１つの例示的な実施例により示された１種の接続解除方法のフローチャートである。
【図３Ａ】他の例示的な実施例により示された１種の接続解除方法のフローチャートである。
【図３Ｂ】他の例示的な実施例により示された１種の接続解除方法のフローチャートである。
【図３Ｃ】他の例示的な実施例により示された１種の接続解除方法のフローチャートである。
【図４】１つの例示的な実施例により示された１種の接続解除装置のブロック図である。
【図５Ａ】他の例示的な実施例により示された１種の接続解除装置のブロック図である。
【図５Ｂ】他の例示的な実施例により示された１種の接続解除装置のブロック図である。
【図５Ｃ】他の例示的な実施例により示された１種の接続解除装置のブロック図である。
【図６】１つの例示的な実施例により示された１種の装置のブロック図である。
【図７】他の例示的な実施例により示された１種の接続解除装置に用いられる装置のブロック図である。
【発明を実施するための形態】
【００２５】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２６】
図１は、本発明の各実施例に係る１種の実施環境の概略図である。該実施環境は、第１の端末１２０、第２の端末１４０、サーバー１６０及びデバイス１８０を含むことが可能である。
【００２７】
第１の端末１２０及び第２の端末１４０は、例えば、携帯電話、タブレットＰＣ、ノートパソコン及びデスクトップパソコンのような端末デバイスであってもよい。ユーザが端末でデバイス管理機能を有するクライアント側におけるユーザアカウントであるユーザアカウントを登録する。
【００２８】
当業者として理解すべきは、１つのユーザアカウントが複数の端末で登録されることが可能であり、１つの端末で複数のユーザアカウントを登録することも可能であり、本発明の実施例においてこのことに対して限定しない。本発明の実施例において、ユーザアカウントと端末とが１対１に対応することを例として説明する。
【００２９】
第１の端末１２０及び第２の端末１４０とサーバー１６０との間は、無線Ｗｉ−Ｆｉ（Ｗｉｒｅｌｅｓｓ−Ｆｉｄｅｌｉｔｙ）、ブルートゥースなどの無線ネットワークの方式又は有線ネットワークで接続される。
【００３０】
サーバー１６０は、１台のサーバーであってもよく、複数台のサーバーで組合せたサーバー群、又は、１つのクラウドコンピューティングサービスセンターであってもよい。サーバー１６０がデバイス管理機能を有するクライアント側にバックグラウンドサービスを提供するために用いられる。
【００３１】
デバイス１８０がインテリジェントホームと関連する各種のデバイス、例えば、スマートビデオカメラ、テレビ、エアコン、清浄器などの電子機器であってもよい。
【００３２】
デバイス１８０が無線ネットワーク又は有線ネットワークでサーバー１６０との間に通信接続を確立する。
【００３３】
説明すべきは、本発明の実施例により提供された接続解除方法は、第１の端末１２０及び第２の端末１４０以外に、他の複数の端末を含むことも可能であり、本発明の実施例においてこれに対して限定しない。
【００３４】
図２は、１つの例示的な実施例により示された１種の接続解除方法のフローチャートである。本実施例において、該接続解除方法が図１に示されたサーバー１６０に適用されることを例として説明する。該方法は、下記のいくつのステップを含むことが可能である。
【００３５】
ステップ２０１において、ユーザアカウントから送信されたデバイスとの接続を解除するための解除要求を受信する。
【００３６】
一般的に、デバイスの所有者のアカウントとデバイスとの間にバインディング関係が確立されて、デバイスの所有者のアカウントが該デバイスに対応している全ての制御権限を持っている。デバイスのシェアを受ける者のアカウントとデバイスとの間に権限関係接続が確立されて、デバイスのシェアを受ける者のアカウントが該デバイスに対応している制御権限の一部を持っている。
【００３７】
即ち、上記「接続」は、バインディング接続及び／又は権限関係接続を含む。
【００３８】
ステップ２０２において、上記ユーザアカウントがデバイスの所有者のアカウントである時に、該デバイスに対応している少なくとも１つの、シェア方式で該デバイスに対する制御権限を取得するシェアを受ける者のアカウントを照会する。
【００３９】
ステップ２０３において、該デバイスとデバイスの所有者のアカウントとの間のバインディング接続、及び該デバイスとシェアを受ける者のアカウントとの間の権限関係接続を解除する。
【００４０】
上記のように、本発明の実施例により提供された接続解除方法は、デバイスの所有者のアカウントから送信された解除要求を受信して、該デバイスに対応している少なくとも１つのシェアを受ける者のアカウントを照会するとともに、該デバイスとデバイスの所有者のアカウント及びシェアを受ける者のアカウントとの間の接続を解除することによって、係る技術においてデバイスの所有者があるシェアを忘れて、且つデバイスとのバインディングを解除した後、シェアを受ける者が該デバイスに対する制御権限を依然に持っている問題を解決して、デバイスの所有者のアカウントとデバイスとのバインディングが解除された後、該デバイスのシェアを受ける者のアカウントと該デバイスとの権限関係接続も同時に解除されることにより、デバイスのセキュリティ性を向上した効果を達成した。
【００４１】
本発明の実施例において、ユーザが端末でユーザアカウントを登録してデバイスとの接続を確立し、該デバイスに接続しているユーザアカウントごとにそれぞれ１つの身分が存在し、上記ユーザアカウントの身分が所有者のアカウントであってもよく、シェアを受ける者のアカウントであってもよい。通常、デバイスごとに１つだけの所有者のアカウントを有するが、複数のシェアを受ける者のアカウントを有することが可能である。第一番目にデバイスと接続されたユーザアカウントがデバイスとバインディング接続を確立するとともに、該ユーザアカウントの身分が所有者のアカウントであることを確定する必要があり、シェアを受けて該デバイスと権限関係接続を確立する他のユーザアカウントの身分がシェアを受ける者のアカウントであり、所有者のアカウントがデバイスに対する制御権限の全部を持ち、シェアを受ける者のアカウントがデバイスに対する制御権限の一部を持っている。上記制御権限がデバイスをオンするための権限、デバイスをオフするための権限、デバイスの運行パラメーターを制御するための権限などを含むことが好ましく、本発明の実施例においてこれに対して限定しない。
【００４２】
本発明の実施例において、図１に示すように、第１の端末１２０及び第２の端末１４０を例として説明する。例えば、ユーザが第１の端末１２０でユーザアカウントを登録して、デバイス１８０と接続し、第１の端末１２０におけるユーザアカウントが第一番目にデバイス１８０と接続を確立するユーザアカウントであるため、第１の端末１２０におけるユーザアカウントの身分を所有者のアカウントとして確定するとともに、該所有者のアカウントとデバイス１８０との間にバインディング接続を確立する。第２の端末１４０がシェアを受ける方式でデバイス１８０と接続するとともに、デバイス１８０に対する制御権限の一部を取得することができるため、第２の端末１４０におけるユーザアカウントの身分をシェアを受ける者のアカウントとして確定する。
【００４３】
図３Ａが他の例示的な実施例により示された１種の接続解除方法のフローチャートである。本実施例において該方法が図１に示された実施環境に適用されることを例として説明する。該方法が下記のいくつのステップを含むことが可能である。
【００４４】
ステップ３０１において、所有者のアカウントから第１のシェアを受ける者のアカウントに送信された第１のシェア要求を受信する。
【００４５】
サーバーが所有者のアカウントから第１のシェアを受ける者のアカウントに送信された第１のシェア要求を受信する。第１のシェアを受ける者のアカウントとは、送信元が所有者のアカウントであるシェア情報を受信するユーザアカウントを指す。
【００４６】
デバイスの所有者のアカウントに対応しているユーザが該デバイスに対する制御権限を他のユーザにシェアしようとする時に、所有者のアカウントがサーバーに少なくともデバイス識別子及び第１のシェアを受ける者のアカウントが付加されている第１のシェア要求を送信する。
【００４７】
デバイス識別子がデバイスのＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレスなどであってもよい。
【００４８】
第１のシェアを受ける者のアカウントがシェアを受けるユーザの携帯電話番号、シェアを受けるユーザのインスタントメッセージアカウント、例えば、ＱＱ番号、ＭｉＴａｌｋ番号などであることが好ましいが、本実施例においてこれに対して限定しない。
【００４９】
ステップ３０２において、第１のシェアを受ける者のアカウントに第１のシェア要求を転送する。
【００５０】
サーバーが所有者のアカウントから送信された第１のシェア要求を受信した後、第１のシェア要求に付加されている第１のシェアを受ける者のアカウントに上記第１のシェア要求を転送する。
【００５１】
ステップ３０３において、第１のシェアを受ける者のアカウントが第１のシェア要求を同意する同意信号を受信して、シェアを受ける者のアカウントとデバイスとの間の権限関係接続を確立する。
【００５２】
第１のシェアを受ける者のアカウントが上記第１のシェア要求を受信して、且つシェアを受けることを選択した後、第１のシェアを受ける者のアカウントがサーバーに第１のシェア要求を同意する同意信号を送信する。
【００５３】
本実施例において、ユーザアカウント毎に１つのデバイスリストが対応されて、ユーザが端末でユーザアカウントを登録した後、端末で該ユーザアカウントに対応しているデバイスリストを査閲することができる。上記デバイスリストが該ユーザアカウントと接続を確立する全てのデバイスの情報を記録するために用いられ、デバイスの名称、デバイスの識別子及びシェア識別子を含むが、これに限らない。
【００５４】
該シェア識別子が該ユーザアカウントが該デバイスのシェアを受ける者のアカウントである時に表示され、ユーザアカウントがシェアを受ける者のアカウントである身分を示すために用いられ、シェア識別子の具体的な表現形式として「シェアする者」又は他の標示性識別子であってもよく、本実施例においてこれに対して限定しない。
【００５５】
下記の表１がデバイスリストの１種の形式であり、ユーザアカウント１のデバイスリストを例示的に示し、例えば、デバイス１、デバイス２及びデバイス３がユーザアカウント１と接続関係を持ち、デバイスリストにおいて行目ごとに１つのデバイスに対応している情報を記録し、例えば、表１における第１行にデバイス１の名称１、識別子１及びシェア識別子が記録され、第２行及び第３行にそれぞれデバイス２とデバイス３に対応している情報が記録され、このように類推する。
【００５６】
そのうち、デバイスの名称として、上記のスマートビデオカメラ、テレビ、エアコンなどであってもよく、ユーザが異なるデバイスを区別するには便利となり、シェア識別子にユーザアカウント１が該デバイスのシェアする者であるか否かを記録し、例えば、表１においてデバイス１及びデバイス３に対応しているシェア識別子がシェアする者であり、デバイス２のシェア識別子が空で、ユーザアカウント１がデバイス１及びデバイス３のシェアする者のアカウントであり、デバイス２の所有者のアカウントであることとして示された。
【００５７】
説明すべきは、表１に示すデバイスリストのフォームと内容が全て例示的なものであり、本実施例においてこれに対して限定しない。
【００５８】
【表１】
0006314291.tif 000002
本実施例において、デバイスごとにさらに１つのデバイス権限表が対応され、該デバイスと接続関係を持つ各ユーザアカウントと該デバイスとの間の関係を記録するために用いられ、サーバーがデバイス権限表を照会することによって該デバイスと接続している全てのユーザアカウント、各ユーザアカウントの身分及び制御権限を探し出すことができる。
【００５９】
上記ユーザアカウントの身分が所有者のアカウント又はシェアを受ける者のアカウントである。下記の表２がデバイス権限表の１種の形式であり、デバイス識別子１に対応しているデバイス１のデバイス権限表を示し、例えば、ユーザアカウント１、ユーザアカウント２及びユーザアカウント３がデバイス１と接続関係を持ち、デバイス権限表における行目ごとに１つのユーザアカウントの身分及び制御権限を記録し、例えば、表２の第１行にユーザアカウント１及びその身分が所有者のアカウントであることが記録され、所有者のアカウントが全ての制御権限を持つ。第２行にユーザアカウント２及びその身分がシェアを受ける者のアカウントであることが記録され、該シェアを受ける者のアカウントが権限１及び権限２を持つ。第３行にユーザアカウント３及びその身分がシェアを受ける者のアカウントであることが記録され、該シェアを受ける者のアカウントが権限１を持つ。このように類推する。
【００６０】
例えば、表１においてユーザアカウント１がデバイス１の所有者のアカウントであり、ユーザアカウント２及びユーザアカウント３がデバイス１のシェアを受ける者のアカウントであり、その中に、ユーザアカウントの身分の列に１つだけの所有者のアカウントを有するが複数のシェアを受ける者のアカウントを有することができる。
【００６１】
説明すべきは、表２に示すデバイス権限表のフォーム及び内容が全て例示的であり、本実施例においてこれに対して限定しない。
【００６２】
【表２】
0006314291.tif 000003
サーバーが第１のシェアを受ける者のアカウントからリターンされた同意信号を受信した後、第１のシェアを受ける者のアカウントに対応しているデバイスリストにおいて該デバイスの情報を付加すると同時に、上記第１のシェア要求に付加されているデバイス識別子に対応しているデバイスに対するデバイス権限表に第１のシェアを受ける者のアカウントを付加するとともに、ユーザアカウントの身分がシェアを受ける者のアカウントであることを記録する。これによって、第１のシェアを受ける者のアカウントとデバイスとの間の権限関係接続が確立された。
【００６３】
好ましいのは、第１のシェアを受ける者のアカウントとデバイスとの間に権限関係接続が確立された後、サーバーが所有者のアカウントに通知メッセージを送信して、所有者のアカウントに第１のシェアを受ける者のアカウントとデバイスとの間に権限関係接続が成功に確立されたことを通知する。
【００６４】
好ましいのは、第１のシェアを受ける者のアカウントが上記第１のシェア要求を受信した時に、サーバーに第１のシェア要求を受取ることを拒絶するための第１の拒絶信号をリターンすることもでき、サーバーが所有者のアカウントに第１の拒絶情報をリターンするとともに、デバイスと第１のシェアを受ける者のアカウントとの権限関係接続を確立しない。
【００６５】
好ましいのは、所有者のアカウントから第１のシェアを受ける者のアカウントに送信された第１のシェア要求が制御権限情報をさらに含むこともでき、上記制御権限情報がデバイスをオンするための権限、デバイスをオフするための権限、デバイスの運行パラメーターを制御するための権限などを含むことができ、上記制御権限情報が第１のシェアを受ける者のアカウントがデバイスに対してどのような制御権限を持つかとのことを限定するために用いられる。所有者のアカウントから異なる第１のシェアを受ける者のアカウントに送信された制御権限情報が相違することができる。
【００６６】
当業者として理解すべきは、上記実施例により提供された方法が例示的だけであり、所有者のアカウントが他の何れかのユーザアカウントにデバイスに対する制御権限をシェアする時に、全て上記所有者のアカウントから第１のシェアを受ける者のアカウントに要求を送信する方法を採用することができる。
【００６７】
この以外に、本発明の実施例においてさらに１種の再シェアメカニズムが提供された。第１のシェア要求に付加されている制御権限情報は、上記の制御権限以外に、再シェア権限がさらに含まれ、第１のシェアを受ける者に再シェア権限を送信するためのである。上記再シェア権限として、デバイスに対する制御権限を他のユーザアカウントに再びシェアすることができるように第１のシェアを受ける者に指示するために用いられる。第１のシェア要求には再シェア権限が含まれない時に、第１のシェアを受ける者のアカウントが他のユーザアカウントに続いてシェアすることができず、第１のシェア要求には再シェア権限が含まれている時に、第１のシェアを受ける者のアカウントが他のユーザアカウントに該デバイスに対する制御権限の一部を続いてシェアすることができる。図３Ｂに示すように、図３Ｂが他の例示的な実施例により示された１種の接続解除方法のフローチャートである。下記のいくつのステップを含む。
【００６８】
ステップ３０５において、第１のシェアを受ける者のアカウントから第２のシェアを受ける者のアカウントに送信された第２のシェア要求を受信する。
【００６９】
サーバーが第１のシェアを受ける者のアカウントから第２のシェアを受ける者のアカウントに送信された第２のシェア要求を受信する。説明すべきは、ここでの第２のシェアを受ける者のアカウントとは、第１のシェアを受ける者のアカウントから再び送信されたシェア情報を受信するユーザアカウントである。ここでの「第２」とは、例示のためだけであり、第１のシェアを受ける者のアカウントと区別するためだけで、何れかのシェアを受ける者のアカウントを代表することができ、本実施例においてこれに対して限定しない。
【００７０】
デバイスの第１のシェアを受ける者のアカウントに対応しているユーザが該デバイスに対する制御権限を他のユーザにシェアしようとする時に、第１のシェアを受ける者のアカウントからサーバーに第２のシェア要求が送信され、上記第２のシェア要求には少なくともデバイス識別子及び第２のシェアを受ける者のアカウントが付加されて、デバイス識別子がデバイスのＩＰアドレス、ＭＡＣアドレスなどであってもよく、第２のシェアを受ける者のアカウントがシェアを受けるユーザの携帯電話番号、シェアを受けるユーザのインスタントメッセージアカウント、例えば、ＱＱ番号、ＭｉＴａｌｋ番号などであってもよく、本実施例においてこれに対して限定しない。
【００７１】
ステップ３０６において、第２のシェアを受ける者のアカウントに第２のシェア要求を転送する。
【００７２】
サーバーが第１のシェアを受ける者のアカウントから送信された第２のシェア要求を受信した後、第２のシェア要求に付加されている第２のシェアを受ける者のアカウントに上記第２のシェア要求を転送する。
【００７３】
ステップ３０７において、第２のシェアを受ける者のアカウントが第２のシェア要求を同意する同意信号を受信して、第２のシェアを受ける者のアカウントとデバイスとの間の権限関係接続を確立する。
【００７４】
第２のシェアを受ける者のアカウントが上記第２のシェア要求を受信するとともにシェアを受けることを選択した後、第２のシェアを受ける者のアカウントがサーバーに第２のシェア要求を同意する同意信号を送信する。
【００７５】
サーバーが第２のシェアを受ける者のアカウントからリターンされた同意信号を受信した後、第２のシェアを受ける者のアカウントに対応しているデバイスリストにデバイスの情報を付加すると同時に、上記第１のシェア要求に付加されているデバイス識別子に対応しているデバイスに対するデバイス権限表に第２のシェアを受ける者のアカウントを付加するとともに、ユーザアカウントの身分がシェアを受ける者のアカウントであることを記録する。これによって、第２のシェアを受ける者のアカウントとデバイスとの間の権限関係接続が確立された。第２のシェアを受ける者のアカウントが第１のシェアを受ける者のアカウントからのシェア要求を受信した後、第２のシェアを受ける者のアカウントが持っている制御権限が第１のシェアを受ける者のアカウントが持っている制御権限と同じである。
【００７６】
ステップ３０８において、所有者のアカウントに通知メッセージを送信する。
【００７７】
第２のシェアを受ける者のアカウントとデバイスとの間に権限関係接続が確立された後、サーバーが所有者のアカウントに通知メッセージを送信して、第２のシェアを受ける者のアカウントがデバイスと権限関係接続を成功に確立したことを所有者のアカウントに通知する。
【００７８】
好ましいのは、第１のシェアを受ける者のアカウントから第２のシェアを受ける者のアカウントに送信された第２のシェア要求に再シェア権限情報を含むこともできる。
【００７９】
好ましいのは、第２のシェアを受ける者のアカウントが上記第２のシェア要求を受信した時に、サーバーに第２のシェア要求を受取ることを拒絶するための第２の拒絶信号をリターンすることもでき、サーバーが所有者のアカウントに第２の拒絶情報をリターンするとともに、デバイスと第２のシェアを受ける者のアカウントとの権限関係接続を確立しない。
【００８０】
当業者として理解すべきは、上記実施例に提供された方法が例示的なものだけであり、再シェア権限を持っている何れかのシェアを受ける者のアカウントが他のユーザアカウントにデバイスに対する制御権限をシェアする時に、全て上記第１のシェアを受ける者のアカウントが第２のシェアを受ける者のアカウントに要求を送信する方法を採用することができる。
【００８１】
所有者のアカウント及びシェアを受ける者のアカウントとデバイスと接続関係が確立された場合、図３Ｃに示すフローチャートで接続解除を行う。
【００８２】
ステップ３１１において、ユーザアカウントから送信された解除要求を受信する。
【００８３】
サーバーがユーザアカウントから送信された、ユーザアカウントとデバイスとの接続を解除するための解除要求を受信する。ユーザがデバイスとの接続を解除する必要がある時に、ユーザが端末でユーザアカウントを登録して、接続解除のための解除要求を出して、該解除要求には少なくとも接続解除しようとするユーザアカウント及び接続解除しようとするデバイスのデバイス識別子が含まれ、デバイス識別子がデバイスのＭＡＣアドレス又はＩＰアドレスであってもよく、本実施例においてこれに対して限定しない。
【００８４】
ユーザアカウントが端末で解除要求をサーバーに送信し、解除要求が、ユーザアカウントとデバイスとの接続記録が存在することを確定する時に、ユーザアカウントとデバイスとの接続を解除するようにサーバーに指示するために用いられる。
【００８５】
この時に、図３Ｃから分かるように、受信された解除要求に付加されているユーザアカウントの身分の違いによって、サーバーが下記の２種の応答方式のうちの１種を採用することができる。
【００８６】
第１種の応答方式：
ステップ３１２において、上記ユーザアカウントがデバイスの所有者のアカウントである時に、該デバイスに対応している少なくとも１つのシェアを受ける者のアカウントを照会する。
【００８７】
サーバーがユーザアカウントから送信された解除要求を受信した後、解除要求におけるデバイス識別子に対応しているデバイスに対するデバイス権限表を照会し、デバイス権限表に解除要求におけるユーザアカウントが記録されている時に、該ユーザアカウントと該デバイスとの間に接続関係が存在すると確定するとともに、デバイス権限表において上記ユーザアカウントの身分を探し出す。上記ユーザアカウントの身分がデバイスの所有者のアカウントである時に、該デバイスに対するデバイス権限表を照会して、デバイス権限表に記録されている該デバイスと接続関係が存在している全てのシェアを受ける者のアカウントを探し出す。
【００８８】
ステップ３１３において、該デバイスとデバイスの所有者のアカウントとの間のバインディング接続、及び該デバイスとシェアを受ける者のアカウントとの間の権限関係接続を解除する。
【００８９】
サーバーが所有者のアカウントから送信された解除要求を受信したとともにデバイスの全てのシェアを受ける者のアカウントを探し出した後、所有者のアカウント及びシェアを受ける者のアカウントによって各アカウントのデバイスリストをそれぞれ探し出して、各アカウントのデバイスリストから該デバイスの情報を削除するとともに、デバイス識別子によって該デバイスに対するデバイス権限表を探し出して、デバイス権限表から所有者のアカウント及び全てのシェアする者のアカウントの情報を削除する。これによって、デバイスと所有者のアカウントとの間のバインディング接続を解除するとともに、デバイスと全てのシェアを受ける者のアカウントとの権限関係接続を解除した。
【００９０】
第２種の応答方式：
ステップ３１４において、ユーザアカウントが該デバイスのシェアを受ける者のアカウントである時に、該デバイスと該ユーザアカウントとの間の権限関係接続を解除する。
【００９１】
サーバーがユーザアカウントから送信された解除要求を受信した後、解除要求におけるデバイス識別子に対応しているデバイスに対するデバイス権限表を照会し、デバイス権限表に解除要求におけるユーザアカウントが記録されている時に、該ユーザアカウントと該デバイスとの間に接続関係が存在すると確定するとともに、デバイス権限表において上記ユーザアカウントの身分を探し出す。上記ユーザアカウントの身分がデバイスのシェアを受ける者のアカウントである時に、シェアを受ける者のアカウントによってシェアを受ける者のアカウントのデバイスリストを探し出すとともに、デバイスリストから該デバイスの情報を削除し、それとともに、デバイス識別子によって該デバイスに対するデバイス権限表を探し出して、デバイス権限表から該シェアを受ける者のアカウントに対応している全ての情報を削除する。
【００９２】
１種の可能な実施方式において、シェアを受ける者のアカウントの解除要求がシェアを受ける者のアカウント自体から出されることができ、シェアを受ける者のアカウントがデバイスと権限関係接続を確立したくない時に、シェアを受ける者のアカウントとして主動的に解除要求を出すことができ、解除要求には少なくともシェアを受ける者のアカウント及びデバイス識別子が付加されている。
【００９３】
他の１種の可能な実施方式において、シェアを受ける者のアカウントの解除要求が所有者のアカウントから出されることができ、所有者のアカウントがシェアを受ける者のアカウントがデバイスに対する制御権限を持つことを希望しない時に、所有者のアカウントがサーバーに解除要求を送信することができ、解除要求には少なくとも権限関係接続を解除する必要があるシェアを受ける者のアカウント及びデバイス識別子が付加されている。
【００９４】
上記のように、本実施例に提供された方法は、デバイスの所有者のアカウントから送信された解除要求を受信して、該デバイスに対応している少なくとも１つのシェアを受ける者のアカウントを照会するとともに、該デバイスとデバイスの所有者のアカウント及びシェアを受ける者のアカウントとの間の接続を解除することによって、係る技術においてデバイスの所有者があるシェアを忘れて、且つデバイスとのバインディングを解除した後、シェアを受ける者が該デバイスに対する制御権限を依然に持っている問題を解決し、デバイスの所有者のアカウントとデバイスとのバインディングが解除された後、該デバイスのシェアを受ける者のアカウントと該デバイスとの権限関係接続も解除されたことにより、セキュリティ性を向上した効果を達成した。
【００９５】
本実施例に提供された方法は、所有者のアカウントが他のユーザアカウントにシェア要求を送信することにより、シェアを受ける者のアカウントがデバイスとの間に接続関係を確立するとともに、デバイスに対する制御権限の一部を取得することができ、所有者のアカウントが絶対的な制御権を持っていることを保証できることを前提にして、所有者のアカウント及びシェアを受ける者のアカウントが全てデバイスに対してリモートコントロールすることができる。
【００９６】
本実施例に提供された方法は、シェアを受ける者のアカウントが再シェア権限を持っている時に、シェアを受ける者のアカウントがさらに他のユーザアカウントにシェア要求を再び送信することができ、これによって、シェア権限のモードを拡大して、デバイスの使用率及び使用便利性を向上した。
【００９７】
下記が本発明の装置実施例であり、本発明の方法実施例を実行するために用いられることが可能である。本発明の装置実施例において開示されていない細部に対して、本発明の方法実施例を参照する。
【００９８】
図４が１つの例示的な実施例により示された１種の接続解除装置のブロック図であり、図４に示すように、該装置が図１に示された実施環境に適用され、該装置が要求受信モジュール４１０、照会モジュール４１２及び第１の解除モジュール４１４を含むが、これに限らない。
【００９９】
要求受信モジュール４１０は、ユーザアカウントから送信されたデバイスとの接続を解除するための解除要求を受信するように配置されている
照会モジュール４１２は、上記ユーザアカウントが前記デバイスの所有者のアカウントである時に、該デバイスに対応している少なくとも１つの、シェア方式で該デバイスに対する制御権限を取得するシェアを受ける者のアカウントを照会するように配置されている。
【０１００】
第１の解除モジュール４１４は、該デバイスとデバイスの所有者のアカウントとの間のバインディング接続、及び該デバイスとシェアを受ける者のアカウントとの間の権限関係接続を解除するように配置されている。
【０１０１】
上記のように、本発明の実施例に提供された接続解除装置は、デバイスの所有者のアカウントから送信された解除要求を受信して、該デバイスに対応している少なくとも１つのシェアを受ける者のアカウントを照会するとともに、該デバイスとデバイスの所有者のアカウント及びシェアを受ける者のアカウントとの間の接続を解除することによって、係る技術においてデバイスの所有者があるシェアを忘れて、且つデバイスとのバインディングを解除した後、シェアを受ける者が該デバイスに対する制御権限を依然に持っている問題を解決して、デバイスの所有者のアカウントとデバイスとのバインディングが解除された後、該デバイスのシェアを受ける者のアカウントと該デバイスとの権限関係接続も解除されたことにより、セキュリティ性を向上した効果を達成した。
【０１０２】
図５Ａが他の例示的な実施例により示された１種の接続解除装置のブロック図である。該装置が第１の受信モジュール５１０、第１の転送モジュール５１２及び第１の接続モジュール５１４を含むことができる。
【０１０３】
第１の受信モジュール５１０は、所有者のアカウントから第１のシェアを受ける者のアカウントに送信された第１のシェア要求を受信するように配置されている。
【０１０４】
第１の転送モジュール５１２は、第１のシェアを受ける者のアカウントに第１のシェア要求を転送するように配置されている。サーバーが所有者のアカウントから送信された第１のシェア要求を受信した後、第１のシェア要求に付加されている第１のシェアを受ける者のアカウントに上記第１のシェア要求を転送する。
【０１０５】
第１の接続モジュール５１４は、第１のシェアを受ける者のアカウントが第１のシェア要求を同意する同意信号を受信して、シェアを受ける者のアカウントとデバイスとの間の権限関係接続を確立するように配置されている。
【０１０６】
好ましいのは、上記装置は、第１のシェアを受ける者のアカウントとデバイスとの間に権限関係接続が確立された後、所有者のアカウントに通知メッセージを送信して、第１のシェアを受ける者のアカウントがデバイスとの権限関係接続を成功に確立したことを所有者のアカウントに通知するように配置されている第１の通知モジュール５１６をさらに含む。
【０１０７】
好ましいのは、上記装置は、所有者のアカウントに第１の拒絶信号をリターンするように配置されている第１の拒絶モジュール５１８をさらに含む。第１のシェアを受ける者のアカウントが上記第１のシェア要求を受信した時に、第１のシェア要求を受取ることを拒絶することを選択することもでき、サーバーが所有者のアカウントに第１の拒絶情報をリターンするとともに、デバイスと第１のシェアを受ける者のアカウントとの間の権限関係接続を確立しない。
【０１０８】
好ましいのは、所有者のアカウントから第１のシェアを受ける者のアカウントに送信された第１のシェア要求が制御権限情報をさらに含むこともでき、上記制御権限情報がデバイスをオンするための権限、デバイスをオフするための権限、デバイスの運行パラメーターを制御するための権限などを含むことができ、上記第１の制御権限情報が第１のシェアを受ける者のアカウントがデバイスに対してどのような制御権限を持つかとのことを限定するために用いられる。所有者のアカウントから異なる第１のシェアを受ける者のアカウントに送信された第１の制御権限情報が相違することができる。
【０１０９】
当業者として理解すべきは、上記実施例に提供された装置が例示的だけであり、所有者のアカウントが他の何れかのユーザアカウントにデバイスに対する制御権限をシェアする時に、全て上記所有者のアカウントから第１のシェアを受ける者のアカウントに要求を送信する装置を採用することができる。
【０１１０】
この以外に、本発明の実施例においてさらに１種の再シェアメカニズムが提供された。第１のシェア要求に付加されている制御権限情報において、上記の制御権限以外に、再シェア権限がさらに含まれ、第１のシェアを受ける者に再シェア権限を送信するためのである。上記再シェア権限として、デバイスに対する制御権限を他のユーザアカウントに再びシェアすることができるように第１のシェアを受ける者に指示するために用いられる。第１のシェア要求には再シェア権限が含まれない時に、第１のシェアを受ける者のアカウントが他のユーザアカウントに続いてシェアすることができず、第１のシェア要求には再シェア権限が含まれている時に、第１のシェアを受ける者のアカウントが他のユーザアカウントに該デバイスに対する制御権限の一部を続いてシェアすることができる。図５Ｂに示すように、図５Ｂが他の例示的な実施例により示された１種の接続解除装置のフローチャートである。該装置は、第２の受信モジュール５２０、第２の転送モジュール５２２、第２の接続モジュール５２４及び第２の通知モジュール５２６を含むことができる。
【０１１１】
第２の受信モジュール５２０は、第１のシェアを受ける者のアカウントから第２のシェアを受ける者のアカウントに送信された第２のシェア要求を受信するように配置されている。
【０１１２】
第２の転送モジュール５２２は、第２のシェアを受ける者のアカウントに第２のシェア要求を転送するように配置されている。サーバーが第１のシェアを受ける者のアカウントから送信された第２のシェア要求を受信した後、第２のシェア要求に付加されている第２のシェアを受ける者のアカウントに上記第２のシェア要求を転送する。
【０１１３】
第２の接続モジュール５２４は、第２のシェアを受ける者のアカウントが第２のシェア要求を同意する同意信号を受信して、第２のシェアを受ける者のアカウントとデバイスとの間の権限関係接続を確立するように配置されている。
【０１１４】
第２の通知モジュール５２６は、所有者のアカウントに通知メッセージを送信するように配置されている。第２のシェアを受ける者のアカウントとデバイスとの間に権限関係接続が確立された後、サーバーが所有者のアカウントに通知メッセージを送信して、第２のシェアを受ける者のアカウントがデバイスとの権限関係接続を成功に確立したことを所有者のアカウントに通知する。
【０１１５】
好ましいのは、第１のシェアを受ける者のアカウントから第２のシェアを受ける者のアカウントに送信された第２のシェア要求には再シェア権限情報が含まれることもできる。
【０１１６】
好ましいのは、上記装置は、第１のシェアを受ける者に第２の拒絶信号をリターンするように配置されている第２の拒絶モジュール５２８をさらに含むことができる。第２のシェアを受ける者のアカウントが上記第２のシェア要求を受信した時に、第２のシェア要求を受け取ることを拒絶することも選択でき、サーバーが第１のシェアを受ける者のアカウントに第２の拒絶情報をリターンするとともに、デバイスと第２のシェアを受ける者のアカウントとの権限関係接続を確立しない。
【０１１７】
当業者として理解すべきは、上記実施例に提供された装置が例示的なものだけであり、再シェア権限を持っている何れかのシェアを受ける者のアカウントが他のユーザアカウントにデバイスに対する制御権限をシェアする時に、全て上記第１のシェアを受ける者のアカウントが第２のシェアを受ける者のアカウントに要求を送信する装置を採用することができる。
【０１１８】
図５Ｃが他の例示的な実施例により示された１種の接続解除装置のブロック図であり、所有者のアカウント及びシェアを受ける者のアカウントとデバイスとの接続関係が確立された場合、図５Ｃに示すブロック図で接続解除を行う。該装置は、要求受信モジュール５３０、照会モジュール５４０、第１の解除モジュール５５０、第２の解除モジュール５６０を含むことができる。
【０１１９】
要求受信モジュール５３０は、ユーザアカウントから送信された解除要求を受信するように配置されて、該解除要求が、ユーザアカウントとデバイスとの接続記録が存在することを確定する時に、ユーザアカウントとデバイスとの接続を解除するようにサーバーに指示するために用いられるものである。
【０１２０】
この時に、図５Ｃから分かるように、流れが分かれて行き、受信された解除要求に付加されているユーザアカウントの身分の違いによって、サーバーが下記の２種の応答方式のうちの１種を採用することができる。
【０１２１】
第１種の応答方式：
照会モジュール５４０は、上記ユーザアカウントがデバイスの所有者のアカウントである時に、該デバイスに対応している少なくとも１つのシェアを受ける者のアカウントを照会するように配置されている。
【０１２２】
第１の解除モジュール５５０は、該デバイスとデバイスの所有者のアカウントとの間のバインディング接続、及び該デバイスとシェアを受ける者のアカウントとの間の権限関係接続を解除するように配置されている。
【０１２３】
第２種の応答方式：
第２の解除モジュール５６０は、ユーザアカウントが該デバイスのシェアを受ける者のアカウントである時に、該デバイスと該ユーザアカウントとの間の権限関係接続を解除するように配置されている。
【０１２４】
１種の可能な実施方式において、シェアを受ける者のアカウントの解除要求がシェアを受ける者のアカウント自体から出されることができ、シェアを受ける者のアカウントがデバイスと権限関係接続を確立したくない時に、シェアを受ける者のアカウントとして主動的に解除要求を出すことができ、解除要求には少なくともシェアを受ける者のアカウント及びデバイス識別子が付加されている。
【０１２５】
他の１種の可能な実施方式において、シェアを受ける者のアカウントの解除要求が所有者のアカウントから出されることができ、所有者のアカウントがシェアを受ける者のアカウントがデバイスに対する制御権限を持つことを希望しない時に、所有者のアカウントがサーバーに解除要求を送信することができ、解除要求には少なくとも権限関係接続を解除する必要があるシェアを受ける者のアカウント及びデバイス識別子が付加されている。
【０１２６】
上記のように、本実施例に提供された装置は、デバイスの所有者のアカウントから送信された解除要求を受信して、該デバイスに対応している少なくとも１つのシェアを受ける者のアカウントを照会するとともに、該デバイスとデバイスの所有者のアカウント及びシェアを受ける者のアカウントとの間の接続を解除することによって、係る技術においてデバイスの所有者があるシェアを忘れて、且つデバイスとのバインディングを解除した後、シェアを受ける者が該デバイスに対する制御権限を依然に持っている問題を解決し、デバイスの所有者のアカウントとデバイスとのバインディングが解除された後、該デバイスのシェアを受ける者のアカウントと該デバイスとの権限関係接続も解除されたことにより、セキュリティ性を向上した効果を達成した。
【０１２７】
本実施例に提供された装置は、所有者のアカウントが他のユーザアカウントにシェア要求を送信することにより、シェアを受ける者のアカウントがデバイスとの間に接続関係を確立するとともに、デバイスに対する制御権限の一部を取得することができ、所有者のアカウントが絶対的な制御権を持っていることを保証できることを前提にして、所有者のアカウント及びシェアを受ける者のアカウントが全てデバイスに対してリモートコントロールすることができる。
【０１２８】
本実施例に提供された装置は、シェアを受ける者のアカウントが再シェア権限を持っている時に、シェアを受ける者のアカウントがさらに他のユーザアカウントにシェア要求を再び送信することができ、これによって、シェア権限のモードを拡大して、デバイスの使用率及び使用便利性を向上した。
【０１２９】
上記実施例における装置に関し、その中の各モジュールが操作を実行する具体的な方式は、該方法に関する実施例において既に詳細に説明したので、ここで詳細に説明しない。
【０１３０】
本発明の１つの例示的な実施例により提供された１種の接続解除装置は、本発明に提供された接続解除方法を実現することができ、該装置は、プロセッサと、プロセッサにより実行可能な命令を記憶するためのメモリと、を含み、
プロセッサは、
ユーザアカウントから送信されたデバイスとの接続を解除するための解除要求を受信し、
ユーザアカウントが該デバイスの所有者のアカウントである時に、該デバイスに対応している少なくとも１つの、シェア方式で該デバイスに対する制御権限を取得するシェアを受ける者のアカウントを照会し、
該デバイスと所有者のアカウントとの間のバインディング接続、及び該デバイスとシェアを受ける者のアカウントとの間の権限関係接続を解除するように配置されている。
【０１３１】
好ましいのは、プロセッサは、
ユーザアカウントが該デバイスのシェアを受ける者のアカウントである時に、該デバイスと該ユーザアカウントとの間の権限関係接続を解除するように配置されている。
【０１３２】
好ましいのは、プロセッサは、
所有者のアカウントから第１のシェアを受ける者のアカウントに送信された第１のシェア要求を受信し、
第１のシェアを受ける者のアカウントに該第１のシェア要求を転送し、
第１のシェアを受ける者のアカウントが該第１のシェア要求を同意する同意信号を受信した時に、第１のシェアを受ける者のアカウントと該デバイスとの間の権限関係接続を確立するように配置されている。
【０１３３】
好ましいのは、プロセッサは、
第１のシェアを受ける者のアカウントから第２のシェアを受ける者のアカウントに送信された第２のシェア要求を受信し、
第２のシェアを受ける者のアカウントに該第２のシェア要求を転送し、
第２のシェアを受ける者のアカウントが該第２のシェア要求を同意する同意信号を受信した時に、第２のシェアを受ける者のアカウントと該デバイスとの間の権限関係接続を確立するように配置されている。
【０１３４】
好ましいのは、プロセッサは、
第２のシェアを受ける者のアカウントが第１のシェアを受ける者のアカウントによるシェアで該デバイスとの間に権限関係接続を確立したことを示すための通知情報を所有者のアカウントに送信するように配置されている。
【０１３５】
図６が１つの例示的な実施例により示された１種の装置６００のブロック図である。例えば、装置６００は、携帯電話、コンピュータ、デジタル放送端末、メッセージ送受信装置、ゲームコンソール、タブレット装置、医療設備、フィットネス装置、ＰＤＡなどである。
【０１３６】
図６を参照すると、装置６００は、プロセスアセンブリ６０２、メモリ６０４、電源アセンブリ６０６、マルチメディアアセンブリ６０８、オーディオアセンブリ６１０、入出力（Ｉ／Ｏ）インタフェース６１２、センサアセンブリ６１４、及び通信アセンブリ６１６のような１つ或いは複数のアセンブリを含んでもよい。
【０１３７】
プロセスアセンブリ６０２は、一般的には装置６００の全体の動作を制御するものであり、例えば、表示、電話呼び出し、データ通信、カメラ操作、及び記録操作と関連する操作を制御する。プロセスアセンブリ６０２は、１つ以上のプロセッサ６１８を含み、これらによって命令を実行することにより、上記の方法の全部、又は一部のステップを実現するようにしてもよい。なお、プロセスアセンブリ６０２は、１つ以上のモジュールを含んでプロセスアセンブリ６０２と他のアセンブリの間のインタラクションを容易にしてもよい。例えば、プロセスアセンブリ６０２は、マルチメディアモジュールを含んでマルチメディアアセンブリ６０８とプロセスアセンブリ６０２の間のインタラクションを容易にしてもよい。
【０１３８】
メモリ６０４は、各種類のデータを記憶することにより装置６００の動作を支援するように構成される。これらのデータの例は、装置６００において操作されるいずれのアプリケーションプログラム又は方法の命令、連絡対象データ、電話帳データ、メッセージ、画像、ビデオ等を含む。メモリ６０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【０１３９】
電源アセンブリ６０６は、装置６００の各アセンブリに電力を供給する。電源アセンブリ６０６は、電源管理システム、１つ或いは複数の電源、及び装置６００のための電力の生成、管理、及び割り当てに関連する他のアセンブリを含んでもよい。
【０１４０】
マルチメディアアセンブリ６０８は、上記装置６００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。タッチセンサは、タッチ、又はスライド動作の境界だけでなく、タッチ、又はスライド操作に係る継続時間、及び圧力も検出できる。部分実施例において、マルチメディアアセンブリ６０８は、１つのフロントカメラ、及び／又はリアカメラを含む。装置６００が、例えば撮影モード、又はビデオモード等の操作モードにある場合、フロントカメラ、及び／又はリアカメラは外部からマルチメディアデータを受信できる。フロントカメラとリアカメラのそれぞれは、１つの固定型の光レンズ系、又は可変焦点距離と光学ズーム機能を有するものであってもよい。
【０１４１】
オーディオアセンブリ６１０は、オーディオ信号を入出力するように構成される。例えば、オーディオアセンブリ６１０は、１つのマイク（ＭＩＣ）を含み、装置６００が、例えば呼出しモード、記録モード、及び音声認識モード等の操作モードにある場合、マイクは外部のオーディオ信号を受信することができる。受信されたオーディオ信号は、さらにメモリ６０４に記憶されたり、通信アセンブリ６１６を介して送信されたりする。部分実施例において、オーディオアセンブリ６１０は、オーディオ信号を出力するための１つのスピーカーをさらに含む。
【０１４２】
Ｉ／Ｏインタフェース６１２は、プロセスアセンブリ６０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４３】
センサアセンブリ６１４は、装置６００に各方面の状態に対する評価を提供するための１つ以上のセンサを含む。例えば、センサアセンブリ６１４は、装置６００のＯＮ／ＯＦＦ状態、装置６００のディスプレイとキーパッドのようなアセンブリの相対的な位置決めを検出できる。センサアセンブリ６１４は、装置６００、或いは装置６００の１つのアセンブリの位置変更、ユーザと装置６００とが接触しているか否か、装置６００の方位、又は加速／減速、装置６００の温度の変化を検出できる。センサアセンブリ６１４は、何れの物理的接触がない状態にて付近の物体の存在を検出するための近接センサを含んでもよい。センサアセンブリ６１４は、撮影アプリケーションに適用するため、ＣＭＯＳ、又はＣＣＤ画像センサのような光センサを含んでもよい。部分実施例において、当該センサアセンブリ６１４は、加速度センサ、ジャイロスコープセンサ、磁気センサ、圧力センサ、及び温度センサをさらに含んでもよい。
【０１４４】
通信アセンブリ６１６は、装置６００と他の機器の間に有線、又は無線形態の通信を提供する。装置６００は、例えばＷｉＦｉ、２Ｇ、３Ｇ、又はこれらの組み合わせのような、通信規格に基づいた無線ネットワークに接続されてもよい。１つの例示的な実施例において、通信アセンブリ６１６は、放送チャンネルを介して外部の放送管理システムからの放送信号、又は放送に関連する情報を受信する。１つの例示的な実施例において、上記通信アセンブリ６１６は、近距離無線通信（ＮＦＣ）モジュールをさらに含むことにより、近距離通信をプッシュする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、及び他の技術に基づいて実現できる。
【０１４５】
例示的な実施例において、装置６００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記第１のデバイス側或いは第２のデバイス側の接続解除方法を実行する。
【０１４６】
例示的な実施例において、命令を含むコンピュータ読取り可能な非一時的な記録媒体、例えば命令を含むメモリ６０４をさらに提供し、装置６００のプロセッサ６１８により上記命令を実行して上記方法を実現する。例えば、コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１４７】
図７が他の例示的な実施例により示された１種の接続解除装置に用いられる装置のブロック図である。例えば、装置７００が１つのネットワーク側デバイスとして提供されることができる。図７を参照すると、装置７００が１つ以上のプロセッサを含むプロセスアセンブリ７０２、及びプロセスアセンブリ７０２により実行可能な命令、例えば、アプリケーションプログラムを記憶するためのメモリ７０４に代表されるメモリ資源を含む。メモリ７０４に記憶されているアプリケーションプログラムがそれぞれワンセットの命令に対応する１つ以上のモジュールを含むことができる。この他、プロセスアセンブリ７０２が命令を実行することにより、上記サーバー側の接続解除方法を実行するように構成される。
【０１４８】
装置７００は、装置７００の電源管理を実行するように構成される１つの電源アセンブリ７０６、装置７００をネットワークに接続するための１つの有線或いは無線ネットワークインタフェース７０８、及び１つの入出力（Ｉ／Ｏ）インタフェース７１０をさらに含むことができる。装置７００は、メモリ７０４に記憶されているオペレーティングシステム（Ｏｐｅｒａｔｉｎｇ  Ｓｙｓｔｅｍ、ＯＳ）、例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ或いは類似なものに基いて操作することができる。
【０１４９】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１５０】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１５１】
本願は、出願番号がＣＮ２０１５１０５９５９０７．１であって、出願日が２０１５年９月１７日である中国特許出願に基づき優先権を主張し、当該中国特許出願のすべての内容を本願に援用する。
【図１】
0006314291.tif 000004
【図２】
0006314291.tif 000005
【図３Ａ】
0006314291.tif 000006
【図３Ｂ】
0006314291.tif 000007
【図３Ｃ】
0006314291.tif 000008
【図４】
0006314291.tif 000009
【図５Ａ】
0006314291.tif 000010
【図５Ｂ】
0006314291.tif 000011
【図５Ｃ】
0006314291.tif 000012
【図６】
0006314291.tif 000013
【図７】
0006314291.tif 000014